(57)【要約】      （修正有）【課題】エネルギー効率を高めながら輝度を増加させ、ロード量によってサステイン電圧を調節することができるプラズマディスプレイ装置及びその駆動方法を提供する。【解決手段】このプラズマディスプレイ装置は、プラズマディスプレイパネルと、前記プラズマディスプレイパネルの所定電極とにサステインパルスが供給される時、一つのサステインパルスによって複数の放電が起きるように、前記一つのサステインパルスにピックキングパルスが含まれるようにするサステイン駆動回路を備えたスキャン駆動部及びサステイン駆動部を含む。【選択図】図６
2005309440.tif 000002
【特許請求の範囲】
【請求項１】
所定電極を備えたプラズマディスプレイパネルと、
前記プラズマディスプレイパネルの前記所定電極にサステインパルスが供給される時、一つのサステインパルスによって複数の放電が起きるように、前記一つのサステインパルスにピックキングパルスが含まれるようにするサステイン駆動回路を備えたスキャン駆動部及びサステイン駆動部と、
を含むことを特徴とするプラズマディスプレイ装置。
【請求項２】
前記プラズマディスプレイパネルの前記所定電極は、スキャン電極とサステイン電極との中で少なくとも何れ一つの電極を含むことを特徴とする、請求項１記載のプラズマディスプレイ装置。
【請求項３】
前記サステイン駆動回路は、
エネルギー貯蔵部のエネルギーをプラズマディスプレイパネルに供給する時ターンーオンされるピーキングパルス用スィッチと、前記エネルギー貯蔵部にエネルギーを注入するためのダイオードとを含むピーキングパルス印加部と、
前記エネルギー貯蔵部のエネルギーを利用してピーキングパルスをＬＣ共振で形成してスキャン電極またはサステイン電極に印加する共振部と、
前記スキャン電極またはサステイン電極にサステイン電圧又はグラウンドレベルを印加させるサステイン電圧制御部と、
を含むことを特徴とする請求項２記載のプラズマディスプレイ装置。
【請求項４】
前記ピーキングパルスは、サステイン電圧が印加される以前に、前記スキャン電極またはサステイン電極に印加されることをことを特徴とする、請求項１記載のプラズマディスプレイ装置。 
【請求項５】
前記ピーキングパルス用スィッチのゲート端がタイミング信号の入力を受け、ドレーン端が前記エネルギー貯蔵部と繋がれ、ソース端が前記ダイオードのアノード端と繋がれており、
前記ダイオードのケソード端は前記ピーキングパルス用スィッチのドレーン端と繋がれてエノ−ド端はピーキングパルス用スィッチのソース端と繋がれることを特徴とする、請求項３記載のプラズマディスプレイ装置。 
【請求項６】
前記ピーキングパルスの電圧は、前記サステイン電圧より大きいことを特徴とする、 請求項４記載のプラズマディスプレイ装置。 
【請求項７】
前記共振部はコイルを含んでおり、
前記コイルの一方端は、前記ピーキングパルス用スイチング素子のソース端と繋がれており、他の一方端は前記スキャン電極またはサステイン電極に繋がれることを特徴とする、請求項３記載のプラズマディスプレイ装置。
【請求項８】
上記プラズマディスプレイパネルに適合して変換された映像データのロード量を測定して、上記測定されたロード量を基準ロード量と比べて電圧調節信号を出力するロード測定部と、
上記ロード測定部から出力された電圧調節信号によってサステイン電圧を調節して上記プラズマディスプレイパネルのスキャン電極またはサステイン電極に印加する電圧調節部と、
をさらに含むことを特徴とする請求項1記載のプラズマディスプレイ装置。
【請求項９】
上記電圧調節部は、上記測定されたロード量が基準ロード量より大きい場合、上記サステイン基準電圧より高い電圧を上記プラズマディスプレイパネルのスキャン電極またはサステイン電極に供給することを特徴とする、請求項８記載のプラズマディスプレイ装置。
【請求項１０】
上記測定されたロード量が基準ロード量より大きい場合、上記ロード測定部からサステインパルス調節信号を受けて、既に割り当てされたサステインパルスの個数を調節するサステインパルス調節部をさらに含み、
上記サステインパルス調節部は、上記スキャン駆動部及びサステイン駆動部を制御して上記スキャン電極またはサステイン電極にサステインパルス供給の時、上記基準サステイン電圧と上記サステイン電圧の上昇値との合計の電圧を印加する、
ことを特徴とする請求項８記載のプラズマディスプレイ装置。
【請求項１１】
上記電圧調節部は、上記測定されたロード量が基準ロード量より小さい場合、上記基準サステイン電圧を上記スキャン電極またはサステイン電極に印加するようにすることを特徴とする、請求項８記載のプラズマディスプレイ装置。
【請求項１２】
上記電圧調節部は、DC/DCコンバータを含んでおり、
上記DC/DCコンバータは、サステイン電圧調節信号のパルス幅によってサステイン電圧の上昇値を決めることを特徴とする、請求項８または９または１１項の何れかに記載のプラズマディスプレイ装置。
【請求項１３】
入力された映像信号をプラズマディスプレイパネルに当たるように変換してサーブフィールド別に再整列された映像データを形成する段階と、
上記コントローラ部からサーブフィールド別に再整列された映像データの入力を受けてロード量を測定する段階と、
上記測定されたロード量を基準ロード量と比べて電圧調節信号を出力する段階と、
上記サステイン電圧調節信号にあたるサステイン電圧を決めて上記プラズマディスプレイパネルのスキャン電極またはサステイン電極に決められたサステイン電圧を印加する段階と、
を含むことを特徴とするプラズマディスプレイ装置の駆動方法。
【請求項１４】
上記測定されたロード量が基準ロード量より大きい場合、既に割り当てされたサステインパルスの個数を調節することを特徴とする、請求項１３記載のプラズマディスプレイ装置の駆動方法。
【請求項１５】
上記測定されたロード量が基準ロード量より小さい場合、上記基準サステイン電圧を上記スキャン電極またはサステイン電極に印加する段階をさらに含むことを特徴とする、請求項１３記載のプラズマディスプレイ装置の駆動方法。
【請求項１６】
上記スキャン電極またはサステイン電極に決められたサステイン電圧を印加する段階は、
あらかじめ貯蔵されていたエネルギーが注入されながらＬＣ共振によって形成されたピーキングパルスがスキャン電極に印加される段階と、
上記ピーキングパルスが印加された後、上記スキャン電極にサステイン電圧が印加されてサステイン電極はグラウンドレベルになる段階と、
あらかじめ貯蔵されていたエネルギーが注入されながらＬＣ共振によって形成されたピーキングパルスがサステイン電極に印加される段階と、
上記ピーキングパルスが印加された後、上記サステイン電極にサステイン電圧が印加されてスキャン電極はグラウンドレベルになる段階と、
を含むことを特徴とする請求項１３記載のプラズマディスプレイ装置の駆動方法。
【請求項１７】
上記サステイン電圧は、上記ピーキングパルスの電圧が最高値に到逹した時印加されることを特徴とする、請求項１６記載のプラズマディスプレイ装置の駆動方法。
【請求項１８】
上記ピーキングパルスの電圧は、上記サステイン電圧より大きいことを特徴とする、請求項１６記載のプラズマディスプレイ装置の駆動方法。
【請求項１９】
上記ピーキングパルスによって放電が起きることを特徴とする、請求項１６または第１８記載のプラズマディスプレイ装置の駆動方法。
【請求項２０】
前記サステイン電圧を印加する段階では、１サステインパルスによって、複数の放電を発生させることを特徴とする、請求項１３に記載のプラズマディスプレイ装置の駆動方法。
【発明の詳細な説明】
【技術分野】
【０００１】
本発明はプラズマディスプレイ装置及びその駆動方法に関する。
【背景技術】
【０００２】
一般的にプラズマディスプレイパネル(Plａsmａ ＤiＳｐlａＹ Pａnｅl：以下"ＰＤＰ"だとする)はHｅ+ＸｅまたはNｅ+Ｘｅ不活性混合ガスの放電の時発生する１４７nmの紫外線によって蛍光体を発光させることで文字またはグラフィックを含んだ画像を表示する。
【０００３】
図１は従来マトリックス形態に配列された放電セル構造を持つ３電極交流面放電型ＰＤＰの構造を示す斜視図である。図１を参照すれば、３電極交流面放電型ＰＤＰ１００は、上部基板１０上に形成されられたスキャン電極１１ａ及びサステイン電極１２ａと、下部基板２０上に形成されられたアドレス電極２２とを備える。スキャン電極１１ａとサステイン電極１２ａそれぞれは、透明電極、例えば、インジウムティンオキサイド(Inｄium-Tin-OＸiｄｅ：ITO)に形成される。スキャン電極１１ａとサステイン電極１２ａそれぞれには、抵抗を減らすための金属バス電極(１１ｂ、１２ｂ)が形成される。スキャン電極１１ａとサステイン電極１２ａが形成された上部基板１０には、上部誘電体層１３ａと保護膜１４とが積層される。上部誘電体層１３ａには、プラズマ放電の時発生された壁電荷が蓄積される。保護膜１４は、プラズマ放電の時発生されたスパッタリング（ｓｐｕｔｔｅｒｉｎｇ）による上部誘電体層１３ａの損傷を防止することと同時に２次電子の放出效率を高めるようになる。保護膜１４には通常酸化マグネシウム(MgO)が利用される。
【０００４】
一方、アドレス電極２２が形成された下部基板２０上には、下部誘電体層１３ｂ、隔壁２１とが形成されて、下部誘電体層１３ｂと隔壁２１の表面には蛍光体層２３が塗布される。アドレス電極２２は、スキャン電極１１ａ及びサステイン電極１２ａと交差される方向に形成される。隔壁２１は、アドレス電極２２と並んで形成されて放電によって生成された紫外線及び可視光が、接した放電セルに漏洩することを防止する。蛍光体層２３は、プラズマ放電の時発生された紫外線によって励起されて赤色(R)、緑(G)または青色(Ｂ)中何れ一つの可視光線を発生する。上部基板１０と下部基板２０との間の隔壁２１によって区画された放電セルの放電空間には、放電のためのHｅ+ＸｅまたはNｅ+Ｘｅなどの不活性混合ガスが注入される。このような構造を持つ従来ＰＤＰの駆動方法を図２に示す。
【０００５】
図２は、従来のＰＤＰの駆動方法を説明するための駆動波形である。図２をよく見れば、従来ＰＤＰは全画面を初期化させるためのリセット期間、セルを選択するためのアドレス期間及び選択されたセルの放電を維持させるためのサステイン期間で分けられて駆動される。
【０００６】
先ず、リセット期間はセットアップ期間(ＳＵ)とセットダウン期間(ＳＤ)で分けられて駆動されるのに、セットアップ期間(ＳＵ)にはすべてのスキャン電極(Ｙ)に上昇ランプ波形(Ｒａｍｐ−ｕｐ)が同時に印加される。この上昇ランプ波形によって全画面のセル内には放電が起きる。このセットアップ放電によってアドレス電極(Ｘ)上とサステイン電極(Ｚ)上には正極性の壁電荷が積もるようになって、スキャン電極(Ｙ)上には負極性の壁電荷が積もるようになる。セットダウン期間(ＳＤ)には、上昇ランプ波形が供給された後、上昇ランプ波形のピーク電圧より低い正極性電圧から落ち始めて基底電圧(ＧＮＤ)または負極性の特定電圧レベルまで落ちる下降ランプ波形(Ｒａｍｐ−ｄｏｗｎ)が、セル内に微弱な消去放電を起こさせ、過度に形成された壁電荷を一部消去させるようになる。このセットダウン放電によってアドレス放電が安定に起きることができるほどの壁電荷がセル内に均一に残留される。
【０００７】
アドレス期間は、負極性スキャンパルス(Ｓｃａｎ)がスキャン電極(Ｙ)に順次に印加されることと同時に、スキャンパルスに同期されてアドレス電極(Ｘ)に正極性のデータパルス(ｄａｔａ)が印加される。このスキャンパルスとデータパルスとの電圧差と、リセット期間に生成された壁電圧とが加わりながら、データパルスが印加されるセル内にはアドレス放電が発生される。アドレス放電によって選択されたセル内には、サステイン電圧が印加される時放電が起きることができるようにする位の壁電荷が形成される。サステイン電極(Ｚ)には、セットダウン期間とアドレス期間の間にスキャン電極(Ｙ)との電圧差を減らしてスキャン電極(Ｙ)との誤放電が起きないように正極性直流電圧(Ｚｄｃ)が供給される。
【０００８】
サステイン期間は、スキャン電極(Ｙ)とサステイン電極(Ｚ)に交互にサステインパルス(ｓｕｓ)が印加される。アドレス放電によって選択されたセルにおいて、セル内壁電圧とサステインパルスが加わりながら毎サステインパルスが印加される毎に、スキャン電極(Ｙ)とサステイン電極(Ｚ)の間にサステイン放電すなわち、表示放電が起きるようになる。また、サステイン放電が完了する後には、パルス幅と電圧レベルが小さなランプ波形(Ｒａｍｐ−ｅｒｓ)が、サステイン電極(Ｚ)に供給されて全画面のセル内に残る壁電荷を消去させる。
【０００９】
一方、上述したサステイン期間の間、スキャン電極またはサステイン電極に印加されるサステインパルスの波形図と、これを発生させるためのサステイン駆動回路を、図３及び図４に示す。
【００１０】
図３は従来一般的なサステイン駆動回路図で、図４は一般的なサステインパルス波形図である。
【００１１】
図３と図４を参照すれば、先ず第１スィッチ(Ｑ１)と第４スィッチ(Ｑ４)がターンーオンされて、第２スイチング(Ｑ２)と第３スィッチ(Ｑ３)がターンーオフされる。これによって、電圧源ＶｓがＹ電極に印加されてＶｙの電圧はＶｓになって、Ｚ電極はグラウンドレベルになってＶＺは０Ｖになる。この時、電圧源Ｖｓの供給する電流は、第１スイチング(Ｑ１)、パネル(Ｃ)及び第４スィッチ(Ｑ４)を通じて流れる。
【００１２】
次に、第３スィッチ(Ｑ３)と第２スィッチ(Ｑ３)がターンーオンされて第１スィッチ(Ｑ１)と第４スィッチ(Ｑ４)がターンーオフされる。これによって、パネル(Ｃ)に充電されていた電荷が、第２スィッチ(Ｑ２)を通じて放電し、電圧源ＶｓがＺ電極に印加されてＶｚの電圧はＶｓになり、Ｙ電極はグラウンドレベルになってＶｙは０Ｖになる。電圧源Ｖｓの供給する電流は、第３スイチング(Ｑ３)、パネル(Ｃ)及び第２スィッチ(Ｑ２)を通じて流れる。
このような従来の駆動装置及び駆動方法は、電圧源Ｖｓから注入された電荷が駆動装置の動作過程で第２スィッチ(Ｑ２)または第４スィッチ(Ｑ４)を通じてグラウンドに放電するのでエネルギー效率が非常に良くない。よって、従来の駆動装置が輝度を高めようとすればさらに多くエネルギーを使わなければならないのでエネルギー效率がもっと悪くなる問題点が発生する。
【００１３】
一方、従来PDPの画像階調表現方法を図５に示す。
【００１４】
図５は、従来プラズマディスプレイパネルの画像階調を具現する方法を示す図である。
【００１５】
図５に示すように、従来プラズマディスプレイパネルの画像階調(Ｇｒａｙ Ｌｅｖｅｌ) 表現方法はひとつフレームを発光回数が違う複数のサーブフィールドで分けて、 各サーブフィールドはまたすべてのセルを初期化させるためのリセット期間(ＲＰＤ)、 放電するセルを選択するためのアドレス期間(ＡＰＤ) 及び放電回数によっで階調を具現するサステイン期間(ＳＰＤ)で分けられる。 例えば、２５６階調で画像を表示しようとする場合に１/６０秒にあたるフレーム期間(１６．６７ｍｓ)は、図５のように８個のサーブフィールド(ＳＦ１乃至 ＳＦ８)で分けられて、８個のサーブフィールド(ＳＦ１ 乃至 ＳＦ８) それぞれはリセット期間、アドレス期間及びサステイン期間でまた分けられるようになる。
【００１６】
各サーブフィールドのリセット期間及びアドレス期間は各サーブフィールドごとに等しい。 放電するセルを選択するためのアドレス放電は、アドレス電極とスキャン電極である透明電極の間の電圧差によって起きる。サステイン期間は、各サーブフィールドで２n(但し、 ｎ＝ ０、１、２、３、４、５、６、７)の割合で増加される。このように各サーブフィールドでサステイン期間が変わるようになるので各サーブフィールドのサステイン期間すなわち、 サステイン放電回数を調節して画像の階調を表現するようになる。
【００１７】
このように、それぞれの階調はサーブフィールドの組合によって表現されて、それぞれのサーブフィールドに割り当てされるサステインパルスの個数はサーブフィールドの加重値(weight)によって変わる。
【００１８】
この時、 ターンオンされるセルの個数に比例するロード(ｌｏａｄ)が増加する場合のようなサステイン電圧の電圧降下量が大きくなる。すなわち、サステイン電圧が１００Ｖと仮定すると、実際スキャン電極(Ｙ)やサステイン電極(Ｚ)に印加される電圧は電圧降下によって１００Ｖより小さな電圧が印加され、ロードが増加するほどその電圧降下量は大きくなる。これによって輝度が減少するのに減少する輝度を償うためにサステインパルスの個数を増加させても、サステイン電圧の大きさは一定であるからサステインパルス一つ当り電圧降下量は一定であり、サステインパルスの個数が増加するほど消耗する電力に比べて補償される輝度は減る問題点がある。
【発明の開示】
【発明が解決しようとする課題】
【００１９】
本発明の目的はエネルギー效率を高めながらも輝度を増加させて、ロード量によってサステイン電圧の大きさを調節することができるプラズマディスプレイ装置及びその駆動方法を提供するのである。
【００２０】
また、 本発明はロード量によってサステイン電圧の大きさを調節することだけではなく、ピーキングパルスを形成して輝度及びコントラスト(ｃｏｎｔｒａｓｔ)を増加させることができるプラズマ表示パネルの駆動装置及びその駆動方法に提供するのである。
【課題を解決するための手段】
【００２１】
本発明によるプラズマディスプレイ装置はプラズマディスプレイパネルと、前記プラズマディスプレイパネルの所定電極にサステインパルスが供給される時、一つのサステインパルスによって複数の放電が起きるように前記一つのサステインパルスにピックキングパルスが含まれるようにするサステイン駆動回路を備えたスキャン駆動部及びサステイン駆動部を含むことを特徴とする。
【００２２】
本発明によるプラズマディスプレイ装置の駆動方法は入力された映像信号をプラズマディスプレイパネルにあうように変換してサーブフィールド別に再整列された映像データを形成する段階；上記コントローラ部からサーブフィールド別に再整列された映像データを入力受けてロード量を測定する段階；上記測定されたロード量を基準ロード量と比べて電圧調節信号を出力する段階；上記サステイン電圧調節信号にあたるサステイン電圧を決めて上記プラズマディスプレイパネルのスキャン電極またはサステイン電極に印加する段階を含むことを特徴とする。
【００２３】
前記プラズマディスプレイパネルの所定電極はスキャン電極とサステイン電極の中で少なくとも何れ一つの電極であることを特徴とする。
【００２４】
前記サステイン駆動回路はエネルギー貯蔵部のエネルギーをプラズマディスプレイパネルに供給する時ターンーオンされるピーキングパルス用スィッチと前記エネルギー貯蔵部にエネルギーを注入するためのダイオードを含むピーキングパルス印加部と前記エネルギー貯蔵部のエネルギーを利用してピーキングパルスをＬＣ共振で形成してスキャン電極またはサステイン電極に印加する共振部と前記スキャン電極またはサステイン電極にサステイン電圧を印加するとかグラウンドレベルを維持するようにするサステイン電圧制御部を含むことを特徴とする。
【００２５】
前記ピーキングパルスはサステイン電圧が印加される以前に前記スキャン電極またはサステイン電極に印加されることを特徴とする。
【００２６】
前記ピーキングパルス用スィッチのゲート端がタイミング信号を入力受けてドレーン端は前記エネルギー貯蔵部と繋がれてソース端は前記ダイオードのアノード端と繋がれて、前記ダイオードのケソード端は前記ピーキングパルス用スィッチのドレーン端と繋がれてエノ−ド端はピーキングパルス用スィッチのソース端と繋がれることを特徴とする。
【００２７】
前記ピーキングパルスの電圧は前記サステイン電圧より大きいことを特徴とする。
【００２８】
前記共振部はコイルを含んで、前記コイルの一方端は前記ピーキングパルス用スイチング素子のソース端と繋がれて他の一方端は前記スキャン電極またはサステイン電極に繋がれることを特徴とする。
【００２９】
上記プラズマディスプレイパネルに適合して変換された映像データのロード量を測定して、上記測定されたロード量を基準ロード量と比べて電圧調節信号を出力するロード測定部と上記ロード測定部から出力された電圧調節信号によってサステイン電圧を調節して上記プラズマディスプレイパネルのスキャン電極またはサステイン電極に印加する電圧調節部をさらに含むことを特徴とする。
【００３０】
上記電圧調節部は上記測定されたロード量が基準ロード量より大きい場合、 上記サステイン基準電圧より高い電圧を上記プラズマディスプレイパネルのスキャン電極またはサステイン電極に供給することを特徴とする。
【００３１】
上記測定されたロード量が基準ロード量より大きい場合、上記ロード測定部からサステインパルス調節信号を受けて既に割り当てされたサステインパルスの個数を調節するサステインパルス調節部をさらに含みと、上記サステインパルス調節部は上記スキャン駆動部及びサステイン駆動部を制御して上記スキャン電極またはサステイン電極にサステインパルス供給の時上記基準サステイン電圧と上記サステイン電圧の上昇値の合を印加するようにすることを特徴とする。
【００３２】
上記電圧調節部は上記測定されたロード量が基準ロード量より小さい場合上記基準サステイン電圧を上記スキャン電極またはサステイン電極に印加するようにすることを特徴とする。
【００３３】
上記電圧調節部は DC/DC コンバータを含んで、上記 DC/DC コンバータはサステイン電圧調節信号のパルス幅によってサステイン電圧の上昇値を決めることを特徴とする。
【００３４】
本発明によるプラズマディスプレイ装置の駆動方法は入力された映像信号をプラズマディスプレイパネルに当たるように変換してサーブフィールド別に再整列された映像データを形成する段階と、 上記コントローラ部からサーブフィールド別に再整列された映像データを入力受けてロード量を測定する段階と、上記測定されたロード量を基準ロード量と比べて電圧調節信号を出力する段階と上記サステイン電圧調節信号にあたるサステイン電圧を決めて上記プラズマディスプレイパネルのスキャン電極またはサステイン電極に印加する段階を含むことを特徴とする。
【００３５】
上記測定されたロード量が基準ロード量より大きい場合、既に割り当てされたサステインパルスの個数を調節することを特徴とする。
【００３６】
上記測定されたロード量が基準ロード量より小さい場合上記基準サステイン電圧を上記スキャン電極またはサステイン電極に印加する段階をさらに含むことを特徴とする。
【００３７】
上記サステイン電圧調節信号にあたるサステイン電圧を決めて上記プラズマディスプレイパネルのスキャン電極またはサステイン電極に印加する段階はあらかじめ貯蔵されていたエネルギーが注入されながらＬＣ共振によって形成されたピーキングパルスがスキャン電極に印加される段階と、上記ピーキングパルスが印加された後上記スキャン電極にサステイン電圧が印加されてサステイン電極はグラウンドレベルになる段階とあらかじめ貯蔵されていたエネルギーが注入されながら ＬＣ共振によって形成されたピーキングパルスがサステイン電極に印加される段階と上記ピーキングパルスが印加された後上記サステイン電極にサステイン電圧が印加されてスキャン電極はグラウンドレベルになる段階を含むことを特徴とする。
【００３８】
前記サステイン電圧は前記ピーキングパルスの電圧が最高値に到逹した時印加されることを特徴とする。
【００３９】
前記ピーキングパルスの電圧は前記サステイン電圧より大きいことを特徴とする。
【００４０】
前記ピーキングパルスによって放電が起きることを特徴とする。
【発明の効果】
【００４１】
このような本発明は映像データのロード量によってサステイン電圧を調節して輝度及びコントラスト特性を進めて、同時にＬＣ共振でピーキングパルスをサステインパルスと共に印加することで消耗電力を節約することだけではなくエネルギー效率を進めることができる效果がある。
【発明を実施するための最良の形態】
【００４２】
以下、本発明の実施形態を添付した図面を参照して詳細に説明する。
【００４３】
図６は、本発明による第１実施形態に係るプラズマディスプレイ装置を概略的に示す図である。
【００４４】
図６に示すように、本発明による第１プラズマディスプレイ装置は、プラズマディスプレイパネル１００と、プラズマディスプレイパネル１００の下部基板(未図示)に形成されたアドレス電極(Ｘ１乃至Ｘm)にデータを供給するためのデータ駆動部１２２と、スキャン電極(Ｙ１乃至Ｙｎ)を駆動するためのスキャン駆動部１２３と、共通電極であるサステイン電極(Ｚ)を駆動するためのサステイン駆動部１２４と、プラズマディスプレイパネル駆動の時にデータ駆動部１２２、スキャン駆動部１２３、サステイン駆動部１２４を制御するためのタイミングコントロール部１２１と、それぞれの駆動部(１２２、１２３、１２４)に必要な駆動電圧を供給するための駆動電圧発生部１２５とを含む。
【００４５】
プラズマディスプレイパネル１００は、上部基板(未図示)と下部基板(未図示)が一定な間隔を置いて合着されて構成されている。上部基板には、複数の電極例えば、スキャン電極(Ｙ１乃至Ｙｎ)及びサステイン電極(Ｚ)が対を成して形成されている。下部基板には、スキャン電極(Ｙ１乃至Ｙｎ)及びサステイン電極(Ｚ)と交差されるようにアドレス電極(Ｘ１乃至Ｘm)が形成されている。
【００４６】
データ駆動部１２２には、図示しない逆ガンマ補正回路、誤差拡散回路等によって逆ガンマ補正及び誤差拡散した後、サーブフィールドマッピング回路によって各サーブフィールドにマッピングされたデータが供給される。このようなデータ駆動部１２２は、タイミングコントロール部１２１からのタイミング制御信号(ＣＴＲＸ)に応答してデータをサンプリングしてラッチした後、そのデータをアドレス電極(Ｘ１乃至Ｘm)に供給するようになる。
【００４７】
スキャン駆動部１２３は、タイミングコントロール部１２１の制御下にリセット期間の間、上昇ランプ波形(Ｒａｍｐ−ｕｐ)と下降ランプ波形(Ｒａｍｐ−ｄｏｗｎ)とをスキャン電極(Ｙ１乃至Ｙｎ)に供給する。また、スキャン駆動部１２３は、タイミングコントローラ１２１の制御下にアドレス期間の間、スキャン電圧(−Ｖｙ)のスキャンパルス(Ｓｐ)をスキャン電極(Ｙ１乃至Ｙｎ)に順に供給して、サステイン期間の間には内部に備えたサステイン駆動回路によって発生されたサステインパルスをスキャン電極に供給する。この時、一つのサステインパルスはピックキングパルスを含んで複数回の放電が起きるようになる。
【００４８】
サステイン駆動部１２４は、タイミングコントロール部１２１の制御下に下降ランプ波形(Ｒａｍｐ−ｄｏｗｎ)が発生される期間とアドレス期間の間、サステイン電圧(Ｖｓ)のバイアス電圧をサステイン電極(Ｚ)に供給する。サステイン期間の間、サステイン駆動部１２４内部に備えられたサステイン駆動回路は、スキャン駆動部１２３内部に備えられたサステイン駆動回路と交互に動作して、サステインパルス(ｓｕｓ)をサステイン電極(Ｚ)に供給する。この時、一つのサステインパルスは、ピックキングパルスを含み、複数回の放電を発生させる。
【００４９】
一方、上述したようにスキャン駆動部やサステイン駆動部に含まれたサステイン駆動回路によって発生されたすべてのサステインパルスにピックキングパルスが含まれるようにして、スキャン電極やサステイン電極皆供給することができるが、場合によってはスキャン電極にのみ或いはサステイン電極にのみ供給することができるし、前記サステイン駆動回路によって発生されたすべてのサステインパルスではない一部のサステインパルスにのみピックキングパルスを包含させてスキャン電極またはサステイン電極に供給することができる。
【００５０】
タイミングコントロール部１２１は、垂直/水平同期信号とクロック信号の入力を受けて、リセット期間、アドレス期間、サステイン期間で各駆動部(１２２、１２３、１２４)の動作タイミングと同期化を制御するためのタイミング制御信号(ＣＴＲＸ、ＣＴＲＹ、ＣＴＲＺ)を発生して、そのタイミング制御信号(ＣＴＲＸ、ＣＴＲＹ、ＣＴＲＺ)を該当の駆動部(１２２、１２３、１２４)に供給することで、各駆動部(１２２、１２３、１２４)を制御する。
【００５１】
一方、データ制御信号(ＣＴＲＸ)には、データをサンプリングするためのサンプリングクロック、ラッチ制御信号、サステイン駆動回路と駆動スィッチ素子のオン/オフタイムを制御するためのスィッチ制御信号が含まれる。スキャン制御信号(ＣＴＲＹ)には、スキャン駆動部１２３内のサステイン駆動回路と駆動スィッチ素子のオン/オフタイムを制御するためのスィッチ制御信号が含まれている。サステイン制御信号(ＣＴＲＺ)には、サステイン駆動部１２４内のサステイン駆動回路と駆動スィッチ素子のオン/オフタイムを制御するためのスィッチ制御信号が含まれている。
【００５２】
駆動電圧発生部１２５は、セットアップ電圧(Ｖｓｅｔｕｐ)、スキャン共通電圧(ＶＳｃａｎ−ｃｏｍ)、スキャン電圧(−Ｖｙ)、サステイン電圧(Ｖｓ)、データ電圧(Ｖｄ)などを発生する。このような駆動電圧は、放電ガスの造成や放電セル構造によって変わることができる。
【００５３】
このような構造を持つプラズマディスプレイ装置は、スキャン駆動部及びサステイン駆動部に含まれたサステイン駆動回路とサステイン駆動回路の動作によって発生されたサステインパルスの波形図を見れば図７及び図８のようである。
【００５４】
図７は、本発明のスキャン駆動部及びサステイン駆動部に含まれたサステイン駆動回路である。図８は、本発明のサステイン駆動回路の動作によって発生されたパルス波形図である。
【００５５】
先ず図７を見れば、スキャン駆動部(未図示)に含まれたサステイン駆動回路は、第１エネルギー貯蔵部３１０、第１ピーキングパルス(ｐｅａｋｉｎｇ  ｐｕｌｓｅ)印加部３１５、第１共振部３２０、第１サステイン電圧制御部３２５を包含している。サステイン駆動部(未図示)に含まれたサステイン駆動回路は、第２エネルギー貯蔵部３３０、第２ピーキングパルス印加部３３５、第２共振部３４０、第２サステイン電圧制御部３４５を含む。
【００５６】
〈第１エネルギー貯蔵部〉
【００５７】
第１エネルギー貯蔵部３１０は、スキャン電極にサステイン電圧(Ｖｓ)より高いピーキングパルスを印加するのに必要なエネルギーを貯蔵するキャパシター(Ｃｓ１)を含む。
【００５８】
〈第１ピーキングパルス印加部〉
【００５９】
第１ピーキングパルス印加部３１５は、第１エネルギー貯蔵部３１０によって供給されるエネルギーをパネルに供給する時ターンーオンされる第１ピーキングパルス用スィッチ(Ｑｐ１)と、第１ピーキングパルス用スィッチ(Ｑｐ１)に並列で繋がれて第１エネルギー貯蔵部３１０にエネルギーを注入するための 第 １ダイオード(Ｄ１)とを含む。
【００６０】
この時、第１ピーキングパルス用スィッチ(Ｑｐ１)はＭＯＳ  ＦＥＴであり、ＭＯＳ  ＦＥＴのゲート端はタイミング信号の入力を受け付けて、ＭＯＳ  ＦＥＴのドレーン端は第１エネルギー貯蔵部３１０と繋がれる。また、第１ダイオード(Ｄ１)のカソード端はスィッチ(Ｑｐ１)のドレーン端と繋がれて、第１ダイオード(Ｄ１)のアノード端は第１ピーキングパルス用スィッチ(Ｑｐ１)のソース端と繋がれる。
【００６１】
〈第１共振部〉
【００６２】
第１共振部３２０は、コイル(Ｌ１)を含んでパネルのスキャン電極にサステイン電圧(Ｖｓ)が印加される前に、第１エネルギー貯蔵部３１０によるエネルギーを利用してサステイン電圧(Ｖｓ)より大きいピーキングパルスをＬＣ共振で形成してスキャン電極に印加する。
【００６３】
〈第１サステイン電圧制御部〉
【００６４】
第１サステイン電圧制御部３２５は、サステイン電圧(Ｖｓ)をスキャン電極に印加する第１スィッチ(Ｑ１)と、スキャン電極に印加された電荷をグラウンドで放電させる第２スィッチ(Ｑ２)とを含む。
【００６５】
〈第２エネルギー貯蔵部〉
【００６６】
第２エネルギー貯蔵部３３０は、サステイン電極にサステイン電圧(Ｖｓ)より高いピーキングパルスを印加するのに必要なエネルギーを貯蔵するキャパシター(Ｃｓ２)を含む。
【００６７】
〈第２ピーキングパルス印加部〉 
【００６８】
第２ピーキングパルス印加部３３５は、第２エネルギー貯蔵部３３０によって供給されるエネルギーをパネルに供給する時ターンーオンされる第２スィッチ(Ｑｐ２)と、第２スィッチ(Ｑｐ２)に並列で繋がれて第２エネルギー貯蔵部３３０にエネルギーを注入するための第２ダイオード(Ｄ２)とを含む。
【００６９】
この時、第２ピーキングパルス用スィッチ(Ｑｐ２)はＭＯＳ  ＦＥＴであり、ＭＯＳ  ＦＥＴのゲート端はタイミング信号の入力を受け付けて、ＭＯＳ  ＦＥＴのドレーン端は第２エネルギー貯蔵部３３０と繋がれる。また、第２ダイオード(Ｄ２)のカソード端はスィッチ(Ｑｐ２)のドレーン端と繋がれて、第２ダイオード(Ｄ２)のアノード端は第２ピーキングパルス用スィッチ(Ｑｐ２)のソース端と繋がれる。
【００７０】
〈第２共振部〉
【００７１】
第２共振部３４０は、コイル(Ｌ２)を含んでパネルのサステイン電極にサステイン電圧(Ｖｓ)が印加される前に、第２エネルギー貯蔵部３３０によって供給されたエネルギーを利用してサステイン電圧(Ｖｓ)より大きいピーキングパルスをＬＣ共振で形成してサステイン電極に印加する。
【００７２】
〈第２サステイン電圧制御部〉
【００７３】
第２サステイン電圧制御部３４５は、サステイン電圧(Ｖｓ)をサステイン電極に印加する第３スィッチ(Ｑ３)と、Ｚ電極に印加された電荷をグラウンドで放電させる第４スィッチ(Ｑ４)とを含む。
【００７４】
このような構造を持つサステイン駆動回路の動作によって発生されたサステインパルスの波形を見れば、図８で示すように、先ず、第１ピーキングパルス用スィッチ(Ｑｐ１)がターンーオンすれば、第１エネルギー貯蔵部３１０のキャパシター(Ｃｓ１)に貯蔵されていたエネルギーが第１ピーキングパルス印加部３１５と、第１共振部３２０のコイル(Ｌ１)と、スキャン(Ｙ)電極とを通じてパネル(Ｃｐ)に注入されながら、ＬＣ共振によってサステイン電圧より大きいピーキングパルスがスキャン(Ｙ)電極に印加される。
【００７５】
次に、ピーキング電圧が最高値に到逹した時、第１スィッチ(Ｑ１)及び第４スィッチ(Ｑ４)がターンーオンして第１ピーキングパルス用スィッチ(Ｑｐ１)がターンーオフする。これに従って、サステイン電圧(Ｖｓ)がスキャン(Ｙ)電極に印加される同時に、第１ダイオード(Ｄ１)を通じてキャパシター(Ｃｓ１)が充電されて、サステイン(Ｚ)電極にグラウンドレベルが印加される。
【００７６】
この過程で二回のサステイン放電が起きる。すなわち、ピーキングパルスが印加される時点でサステイン放電が起き、サステイン電圧がスキャン(Ｙ)電極に印加される時再度サステイン放電が発生する。
【００７７】
このように第１エネルギー貯蔵部３１０に貯蔵されたエネルギーがパネル(Ｃｐ)に注入されながら、ＬＣ共振に形成されたピーキングパルスが印加されることで従来の駆動方法に比べてエネルギー效率を高くすると共に、輝度が増加される。
【００７８】
次に、第２ピーキングパルス用スイチング(Ｑｐ２)がターンーオンすれば、第２エネルギー貯蔵部３３０のキャパシター(Ｃｓ２)に貯蔵されていたエネルギーが、第２ピーキングパルス印加部３３５と、第２共振部３４０のコイル(Ｌ２)と、サステイン(Ｚ)電極とを通じてパネル(Ｃｐ)に注入されながら、ＬＣ共振によってサステイン電圧より大きいピーキングパルスがサステイン(Ｚ)電極に印加される。
【００７９】
次に、ピーキング電圧が最高値に到逹した時、第３スィッチ(Ｑ３)及び第２スィッチ(Ｑ２)がターンーオンして、第２ピーキングパルス用スィッチ(Ｑｐ２)がターンーオフする。これに従って、サステイン電圧(Ｖｓ)がサステイン(Ｚ)電極に印加される同時に、第２ダイオード(Ｄ２)を通じてキャパシター(Ｃｓ２)が充電されてスキャン(Ｙ)電極にグラウンドレベルが印加される。
【００８０】
この過程でも二回のサステイン放電が起きる。すなわち、ピーキングパルスが印加される時点でサステイン放電が起きて、サステイン電圧がサステイン(Ｚ)電極に印加される時再度サステイン放電が発生する。
【００８１】
このように第２エネルギー貯蔵部３３０に貯蔵されたエネルギーがパネル(Ｃｐ)に注入されながら、ＬＣ共振に形成されたピーキングパルスが印加されることで、従来の駆動方法に比べてエネルギー效率が高いながらも輝度が増加される。
【００８２】
一方、本発明による第２実施形態に係るプラズマディスプレイ装置の構造を見れば、図９のようである。
【００８３】
図９は、本発明による第２プラズマディスプレイ装置の構造を示す図である。同図に示すように、本発明による第２プラズマディスプレイ装置は、プラズマディスプレイパネル１００、コントローラ部１１０、ロード測定部１２０、サステインパルス調節部１３０、電圧調節部１４０、スキャン駆動部１２３、サステイン駆動部１２４とを含む。
【００８４】
〈コントローラ部〉、
【００８５】
コントローラ部１１０は、入力された映像信号をプラズマ表示パネルに適応するように変換して、サーブフィールド別に再整列された映像データを形成して、サーブフィールド別サステインパルスの個数を割り当てする。
【００８６】
〈ロード測定部〉
【００８７】
ロード測定部１２０は、上記コントローラ部１１０からサーブフィールド別で再整列された映像データの入力を受けて、ひとつのフレームまたはひとつのサーブフィールドでターンオンされるセルの個数に比例するロード量を測定して、測定されたロード量と基準ロード量とを比べて、測定されたロード量が基準ロード量より大きい場合、サステインパルス調節信号とサステイン電圧調節信号を出力する。
【００８８】
〈サステインパルス調節部〉
【００８９】
サステインパルス調節部１３０は、ロード測定部１２０からサステインパルス調節信号が入力されなければ、コントローラ部１１０によって割り当てされた数によるサステインパルス信号をスキャン駆動部１２３とサステイン駆動部１２４とに印加する。サステインパルス調節部１３０は、サステインパルス調節信号がロード測定部１２０から入力されれば、サステインパルスの個数を再調節して再調節された個数によるサステインパルス信号をスキャン駆動部１２３とサステイン駆動部１２４とに印加する。
【００９０】
〈電圧調節部〉
【００９１】
電圧調節部１４０は、ロード測定部１２０からサステイン電圧調節信号の入力を受ければ、サステイン電圧の上昇値を決めて、 スキャン駆動部１２３ 及びサステイン駆動部１２４の動作によってパネルのスキャン(Ｙ)電極及びサステイン(Ｚ)電極に基準サステイン電圧とサステイン電圧の上昇値との合計が印加されるようにして、 サステイン電圧調節信号の入力を受けなければ、スキャン駆動部１２３及びサステイン駆動部１２４の動作によってパネルのスキャン(Ｙ)電極及びサステイン(Ｚ)電極に基準サステイン電圧が印加されるようにする。
【００９２】
この時、 電圧調節部１４０は DC/DC コンバータを含んで、サステイン電圧調節信号のパルス幅によってサステイン電圧の上昇値を決める。すなわち、サステイン電圧調節信号のパルス幅が増加するほどサステイン電圧の上昇値が大きくなる。
【００９３】
このような構造を持つ第２実施形態に係るプラズマディスプレイ装置の第１駆動方法を見れば、図 １０、図１１、図１２のようである。
【００９４】
図１０は、本発明による第２実施形態に係るプラズマディスプレイ装置の第１駆動方法を説明するための、スキャン駆動部及びサステイン駆動部に含まれたサステイン駆動回路図である。図１１は、図１０のスキャン駆動部及びサステイン駆動部に含まれたサステイン駆動回路によって発生された駆動波形を示す。図１２は、図１０のスキャン駆動部及びサステイン駆動部に含まれたサステイン駆動回路によって発生された他の駆動波形を示す。
【００９５】
先ず、図９に示すように、コントローラ部１１０が、入力された映像信号をプラズマ表示パネルに適応するように変換して、サーブフィールド別に再整列された映像データに対してサーブフィールド別サステインパルスの個数を割り当てする。
【００９６】
ロード測定部１２０は、コントローラ部１１０からサーブフィールド別に再整列された映像データの入力を受けてロード量を測定して、測定されたロード量と基準ロード量を比べる。
【００９７】
ロード測定部１２０によって測定されたロード量が基準ロード量より小さいと判断されれば、サステインパルス調節部１３０は、コントローラ部１１０によって割り当てされた個数のサーブフィールド別サステインパルスがスキャン電極(Ｙ)及びサステイン電極(Ｚ)に印加されて、図１１に示すように、サステイン電圧は電圧調節部１４０によって基準サステイン電圧(Ｖｓ)がスキャン電極及びサステイン電極に印加される。
【００９８】
これを図１０を参照して見れば、スキャン電極(Ｙ)にサステインパルスが印加されるために第１スィッチ(Ｑ１) 及び第４ スィッチ(Ｑ４)がターンオンされて、第３ スィッチ(Ｑ３) 及び第２ スィッチ(Ｑ２)がターンオフされる。これによって基準サステイン電圧(Ｖｓ)がスキャン電極(Ｙ)に印加されて、サステイン電極(Ｚ)はグラウンドレベルになる。
【００９９】
また、サステイン電極(Ｚ)にサステインパルスが印加されるために第３スイチング(Ｑ３) 及び第２スイチング(Ｑ２)がターンオンされて、第１スィッチ(Ｑ１)及び第４ スィッチ(Ｑ４)がトンオフされる。 これによって基準サステイン電圧(Ｖｓ)がサステイン電極(Ｚ)に印加されてスキャン(Ｙ)電極はグラウンドレベルになる。
【０１００】
一方、図９に示すロード測定部１２０によって測定されたロード量が基準ロード量より大きいと判断されれば、サステインパルス調節信号及びサステイン電圧調節信号それぞれをサステインパルス調節部１３０と電圧調節部１４０に出力する。
【０１０１】
サステインパルス調節信号の入力を受けたサステインパルス調節部１３０は、サステインパルスの個数を再調節して、再調節された個数のサステインパルスがスキャン電極(Ｙ)及びサステイン電極(Ｚ)に印加されるように、スキャン駆動部１２３とサステイン駆動部１２４とを制御する。
【０１０２】
また、 サステイン電圧調節信号を入力受けた電圧調節部１４０は、サステイン電圧調節信号にあたるサステイン電圧増加値を出力する。よって、スキャン電極(Ｙ)とサステイン電極(Ｚ)に印加されるサステイン電圧は、図１２に示すように基準サステイン電圧(Ｖｓ)とサステイン電圧増加値との合計(Ｖｓ’)になる。
【０１０３】
これを図１０を参照して見れば、スキャン電極(Ｙ)にサステインパルスが印加されるために第１スイチング(Ｑ１) 及び第４スィッチ(Ｑ４)がターンオンされて、第３スィッチ(Ｑ３) 及び第２スィッチ(Ｑ２)がターンオフされる。 これによって基準サステイン電圧とサステイン電圧増加値との合計(Ｖｓ’)がスキャン電極(Ｙ)に印加されてサステイン電極(Ｚ)はグラウンドレベルになる。
【０１０４】
また、サステイン電極(Ｚ)にサステインパルスが印加されるために第３スイチング(Ｑ３) 及び第２スイチング(Ｑ２)がターンオンされて、第１スィッチ(Ｑ１) 及び第４スィッチ(Ｑ４)がトンオフされる。これによって基準サステイン電圧とサステイン電圧増加値との合計(Ｖｓ’)がサステイン電極(Ｚ)に印加されてスキャン電極(Ｙ)はグラウンドレベルになる。
【０１０５】
このような第１駆動方法に駆動される第２実施形態に係るプラズマディスプレイ装置は、入力された映像データのロード量によってサステイン電圧を増加させることで輝度及びコントラストが増加する。
【０１０６】
図１３は、本発明による第２実施形態に係るプラズマディスプレイ装置の第２駆動方法を説明するためのスキャン駆動部及びサステイン駆動部に含まれたサステイン駆動回路図である。図１４は、図１３のスキャン駆動部及びサステイン駆動部に含まれたサステイン駆動回路によって発生された駆動波形を示す。図１５は、図１３のスキャン電極駆動部及びサステイン電極駆動部に含まれたサステイン駆動回路によって発生された他の駆動波形を示す。
【０１０７】
先ず、図９に示すように、コントローラ部１１０が入力された映像信号をプラズマ表示パネルに適応するように変換して、サーブフィールド別に再整列された映像データに対してサーブフィールド別サステインパルスの個数を割り当てる。
【０１０８】
ロード測定部１２０は、コントローラ部１１０からサーブフィールド別に再整列された映像データの入力を受けてロード量を測定して、測定されたロード量と基準ロード量とを比べる。
【０１０９】
ロード測定部１２０によって測定されたロード量が基準ロード量より小さいと判断されれば、サステインパルス調節部１３０は、コントローラ部１１０によって割り当てされた個数のサーブフィールド別サステインパルスがスキャン電極(Ｙ)及びサステイン電極(Ｚ)に印加されて、図１４で見るように、サステイン電圧は電圧調節部１４０によって基準サステイン電圧(Ｖｓ)がスキャン電極及びサステイン電極に印加される。この時、スキャン電極(Ｙ)及びサステイン電極(Ｚ)に印加されるサステインパルスはピーキングパルスを含む。
【０１１０】
これを図１３を参照して見れば、第１ピーキングパルス用スィッチ(Ｑｐ１)がターンオンすれば第１エネルギー貯蔵部３１０のキャパシター(Ｃｓ１)に貯蔵されていたエネルギーが、第１ピーキングパルス印加部(３１５)と、コイル(Ｌ１)と、Ｙ電極とを通じてパネル(Ｃｐ)に注入されながら、ＬＣ共振によってサステイン電圧より大きいピーキングパルスがＹ電極に印加される。
【０１１１】
次にピーキング電圧が最高値に到逹した時、第１スィッチ(Ｑ１)及び第４ スィッチ(Ｑ４)がターンオンして第１ピーキングパルス用スィッチ(Ｑｐ１)がトンオフする。これによって、サステイン電圧(Ｖｓ)がスキャン電極(Ｙ)に印加される共に、第１ダイオード(Ｄ１)を通じてキャパシター(Ｃｓ１)が充電されてサステイン電極(Ｚ)にグラウンドレベルが印加される。
【０１１２】
この過程で二回のサステイン放電が起きる。すなわち、ピーキングパルスが印加される時点でサステイン放電が起きて、サステイン電圧がスキャン電極(Ｙ)に印加される時もう一回サステイン放電が発生する。
【０１１３】
このように第１エネルギー貯蔵部３１０に貯蔵されたエネルギーがパネル(Ｃｐ)に注入されながら、ＬＣ共振で形成されたピーキングパルスが印加されることでエネルギー效率が高くすると共に、輝度が増加される。
【０１１４】
次に、第２ピーキングパルス用スイチング(Ｑｐ２)がターンオンすれば、第２エネルギー貯蔵部３３０のキャパシター(Ｃｓ２)に貯蔵されていたエネルギーが、第２ピーキングパルス印加部３３５と、コイル(Ｌ２)と、Ｚ電極とを通じてパネル(Ｃｐ)に注入されながら、ＬＣ共振によってサステイン電圧より大きいピーキングパルスがサステイン電極(Ｚ)に印加される。
【０１１５】
次に、ピーキング電圧が最高値に到逹した時第３スィッチ(Ｑ３)及び第２スィッチ(Ｑ２)がターンオンして、第２ピーキングパルス用スィッチ(Ｑp２)がトンオフする。これによって、サステイン電圧(Ｖｓ)がサステイン電極(Ｚ)に印加される共に、第２ダイオード(D２)を通じてキャパシター(Ｃｓ２)が充電されて、スキャン電極(Ｙ)にグラウンドレベルが印加される。
【０１１６】
この過程でも二回のサステイン放電が起きる。すなわち、ピーキングパルスが印加される時点でサステイン放電が起きて、サステイン電圧がサステイン電極(Ｚ)に印加される時もう一度サステイン放電が発生する。
【０１１７】
一方、図９でロード測定部１２０によって測定されたロード量が基準ロード量より大きいと判断されれば、サステインパルス調節信号及びサステイン電圧調節信号それぞれをサステインパルス調節部１３０と電圧調節部１４０とに出力する。
【０１１８】
サステインパルス調節信号の入力を受けたサステインパルス調節部１３０は、サステインパルスの個数を再調節して、再調節された個数のサステインパルスがスキャン電極(Ｙ)及びサステイン電極(Ｚ)に印加されるように、スキャン駆動部１２３とサステイン駆動部１２４とを制御する。
【０１１９】
また、サステイン電圧調節信号の入力を受けた電圧調節部１４０は、サステイン電圧調節信号にあたるサステイン電圧増加値を出力する。よって、Ｙ電極とＺ電極とに印加されるサステイン電圧は、図１５に示すように基準サステイン電圧(Ｖｓ)とサステイン電圧増加値との合計(Ｖｓ’)になる。 この時、スキャン電極(Ｙ)及びサステイン電極(Ｚ)に印加されるサステインパルスはピーキングパルスを含む。
【０１２０】
これを図１３を参照してよく見れば、第１ピーキングパルス用スィッチ(Ｑｐ１)がターンオンすれば、第１エネルギー貯蔵部３１０のキャパシター(Ｃｓ１)に貯蔵されていたエネルギーが、第１ピーキングパルス印加部３１５と、コイル(Ｌ１)と、スキャン電極(Ｙ)とを通じてパネル(Ｃｐ)に注入されながら、ＬＣ共振によって基準サステイン電圧(Ｖｓ)とサステイン電圧増加値との合計(Ｖｓ’)より大きいピーキングパルスがスキャン電極(Ｙ)に印加される。
【０１２１】
次に、ピーキング電圧が最高値に到逹した時、第１スィッチ(Ｑ１)及び第４ スィッチ(Ｑ４)がターンオンして第１ピーキングパルス用スィッチ(Ｑｐ１)がトンオフする。これによって、基準サステイン電圧(Ｖｓ)とサステイン電圧増加値との合計(Ｖｓ’)がスキャン電極(Ｙ)に印加される共に、第１ダイオード(Ｄ１)を通じてキャパシター(Ｃｓ１)が充電されてサステイン電極(Ｚ)にグラウンドレベルが印加される。
【０１２２】
この過程で二度のサステイン放電が起きる。すなわち、ピーキングパルスが印加される時点でサステイン放電が起きて、サステイン電圧がスキャン電極(Ｙ)に印加される時もう一度サステイン放電が発生する。
【０１２３】
このような第２駆動方法に駆動される第２プラズマディスプレイ装置は入力された映像データのロード量によってサステイン電圧を増加させることで輝度及びコントラストを増加させるだけでなく、ピックキングパルスを含んでスキャン電極及びサステイン電極にサステインパルスを供給することでエネルギー效率を高めることができる。
【図面の簡単な説明】
【０１２４】
【図１】図１は従来マトリックス形態に配列された放電セル構造を持つ３電極交流面放電型ＰＤＰの構造を示す斜視図。
【図２】図２は従来ＰＤＰの駆動方法を説明するための駆動波形を示す図。
【図３】図３は従来一般的なサステイン駆動回路を示す図。
【図４】図４は一般的なサステインパルス波形を示す図。
【図５】図５は従来プラズマディスプレイパネルの画像階調を具現する方法を示す図。
【図６】図６は本発明による第１プラズマディスプレイ装置を概略的に示す図。
【図７】図７は本発明のスキャン駆動部及びサステイン駆動部に含まれたサステイン駆動回路を示す図。
【図８】図８は本発明のサステイン駆動回路の動作によって発生されたパルス波形図。
【図９】図９は本発明による第２プラズマディスプレイ装置の構造を示す図。
【図１０】図１０は本発明による第２プラズマディスプレイ装置の第１駆動方法を説明するためのスキャン駆動部及びサステイン駆動部に含まれたサステイン駆動回路図。
【図１１】図１１は図１０のスキャン駆動部及びサステイン駆動部に含まれたサステイン駆動回路によって発生された駆動波形を示す図。
【図１２】図１２は図１０のスキャン駆動部及びサステイン駆動部に含まれたサステイン駆動回路によって発生された他の駆動波形を示す図。
【図１３】図１３は本発明による第２プラズマディスプレイ装置の第２駆動方法を説明するためのスキャン駆動部及びサステイン駆動部に含まれたサステイン駆動回路図。
【図１４】図１４は図１３のスキャン駆動部及びサステイン駆動部に含まれたサステイン駆動回路によって発生された駆動波形を示す図であり、
【図１５】図１５は図１３のスキャン電極駆動部及びサステイン電極駆動部に含まれたサステイン駆動回路によって発生された他の駆動波形を示す図である。
【図１】
2005309440.tif 000003
【図２】
2005309440.tif 000004
【図３】
2005309440.tif 000005
【図４】
2005309440.tif 000006
【図５】
2005309440.tif 000007
【図６】
2005309440.tif 000008
【図７】
2005309440.tif 000009
【図８】
2005309440.tif 000010
【図９】
2005309440.tif 000011
【図１０】
2005309440.tif 000012
【図１１】
2005309440.tif 000013
【図１２】
2005309440.tif 000014
【図１３】
2005309440.tif 000015
【図１４】
2005309440.tif 000016
【図１５】
2005309440.tif 000017